(57)【要約】  創傷部位からの液体をドレッシングへ除去し、かつドレッシングを通して空気を動かして、除去した液体の少なくとも一部分を蒸発させる、創傷ドレッシング、システム、および方法が提示される。空気は、一例では、ドレッシングに組み込まれたコアンダ装置によって動かされる。他のシステム、ドレッシング。【選択図】図1
2014514089.tif 000002
【特許請求の範囲】
【請求項１】
患者の創傷を治療する創傷治療システムにおいて、前記創傷治療システムが：
前記創傷に近接して配置される治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記第２の患者対面側面が前記第１のシール部材の前記第１の側面に近接して配置される、空気移動マニホールドと；
前記空気移動マニホールドの前記第１の側面を覆うように配置されてチャネル空間を形成する第２のシール部材と；
前記第２のシール部材に形成され、前記チャネル空間から空気が出ることができるようにする少なくとも１つのポートと；
減圧を生じる減圧源であって、前記密閉空間に流体的に結合されて、そこに減圧を供給する減圧源と；
圧力源と；
前記第２のシール部材に結合され、かつ前記圧力源および前記チャネル空間に流体的に結合されているコアンダ装置であって：
中心開口部を形成し、かつ内部通路およびノズル開口部を有する環状ノズル、
前記ノズル開口部に近接しその下流にあるコアンダ面であって、それにより、前記ノズル開口部から出る流体が、前記中心開口部から追加的な流体を取り込んで、流体の複合流を生成する、コアンダ面
を含むコアンダ装置と；
を含み、かつ
前記コアンダ装置が、前記第２のシール部材においてコアンダ開口部に流体的に結合されていることを特徴とする、創傷治療システム。
【請求項２】
請求項１に記載の創傷治療システムにおいて、前記少なくとも１つのポートに結合された細菌濾過器をさらに含むことを特徴とする、創傷治療システム。
【請求項３】
請求項１に記載の創傷治療システムにおいて、前記コアンダ装置が、前記コアンダ開口部から流体を引き出し、それにより、前記少なくとも１つのポートから前記空気移動マニホールドを通って、前記コアンダ開口部から出るように流体を引き出すように構成されていることを特徴とする、創傷治療システム。
【請求項４】
請求項１に記載の創傷治療システムにおいて、前記コアンダ装置が、前記コアンダ開口部に流体を押し込み、それにより、前記コアンダ開口部から前記空気移動マニホールドを通って、前記少なくとも１つのポートから出るように流体を押し出すように構成されていることを特徴とする、創傷治療システム。
【請求項５】
患者の創傷を治療するための創傷治療ドレッシングにおいて、前記創傷治療ドレッシングは：
前記創傷に配置するための治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記第２の患者対面側面が前記第１のシール部材の前記第１の側面に近接して配置される、空気移動マニホールドと；
前記空気移動マニホールドの前記第１の側面を覆って配置されてチャネル空間を形成する第２のシール部材と；
前記第２のシール部材に形成され、空気が前記チャネル空間から出ることができるようにする少なくとも１つのポートと；
前記第２のシール部材に結合されたコアンダ装置であって：
中心開口部を形成し、かつ内部通路およびノズル開口部を有する環状ノズル、および
前記ノズル開口部に近接しその下流の位置にあるコアンダ面であって、それにより、前記ノズル開口部から出る流体が、前記中心開口部から追加的な流体を取り込んで、流体の複合流を生成するコアンダ面
を含むコアンダ装置と
を含み、かつ
前記コアンダ装置が、前記第２のシール部材においてコアンダ開口部に流体的に結合されていることを特徴とする、創傷治療ドレッシング。
【請求項６】
請求項５に記載の創傷治療ドレッシングにおいて、前記少なくとも１つのポートに結合された細菌濾過器をさらに含むことを特徴とする、創傷治療ドレッシング。
【請求項７】
請求項５に記載の創傷治療ドレッシングにおいて、前記コアンダ装置が、動作中に前記コアンダ開口部から流体を引き出し、それにより、前記少なくとも１つのポートから前記空気移動マニホールドを通って、前記コアンダ開口部から出るように流体を引き出すように構成されていることを特徴とする、創傷治療ドレッシング。
【請求項８】
請求項５に記載の創傷治療ドレッシングにおいて、前記コアンダ装置が、動作中に前記コアンダ開口部に流体を押し込み、それにより、前記コアンダ開口部から前記空気移動マニホールドを通って、前記少なくとも１つのポートから出るように流体を押し出すように構成されていることを特徴とする、創傷治療ドレッシング。
【請求項９】
患者の創傷を治療する創傷ドレッシングにおいて、
前記創傷から液体を受け取りかつ貯蔵する手段と；
液体を受け取りかつ貯蔵する手段から離れるように液体を移動させる手段と；
液体を移動させる手段から液体を蒸発させる手段と
を含むことを特徴とする、創傷ドレッシング。
【請求項１０】
請求項９に記載の創傷ドレッシングにおいて、前記液体を蒸発させる手段がコアンダ装置を含むことを特徴とする、創傷ドレッシング。
【請求項１１】
患者の創傷を治療する創傷治療システムにおいて、前記創傷治療システムが：
前記創傷に配置するための治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記空気移動マニホールドの前記第２の患者対面側面が、前記第１のシール部材の前記第１の側面に近接して配置される、空気移動マニホールドと；
前記空気移動マニホールドの前記第１の側面を覆って配置されてチャネル空間を形成する第２のシール部材と；
前記第２のシール部材に形成され、空気が前記チャネル空間から出ることができるようにする少なくとも１つの排気ポートと；
減圧を生じる第１のポンプであって、前記密閉空間に流体的に結合され、そこに減圧を供給する第１のポンプと；
正圧または減圧生じる第２のポンプであって、前記チャネル空間に流体的に結合に形成され、空気を動かす第２のポンプと
を含み、
前記第１のポンプおよび第２のポンプが、第１のシール部材から少なくとも５センチメートルの距離にあることを特徴とする、創傷治療システム。
【請求項１２】
患者の創傷を治療する創傷治療システムにおいて、前記創傷治療システムが：
前記創傷に配置するための治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記第２の患者対面側面が前記第１のシール部材の前記第１の側面に近接して配置される、空気移動マニホールドと；
前記空気移動マニホールドの前記第１の側面を覆うように配置されてチャネル空間を形成する第２のシール部材と；
前記第２のシール部材に形成され、空気が前記チャネル空間から出ることができるようにする少なくとも１つの排気ポートと；
減圧を生じるポンプであって、前記密閉空間に流体的に結合され、そこに減圧を供給し、かつ前記チャネル空間に流体的に結合され、そこに減圧を供給するポンプと
を含むことを特徴とする、創傷治療システム。
【請求項１３】
請求項１２に記載の創傷治療ドレッシングにおいて、前記ポンプに流体的に結合され、前記密閉空間に結合された前記導管において所望の減圧に達したら、空気が前記ポンプに入ることができるようにする弁をさらに含むことを特徴とする、創傷治療ドレッシング。
【請求項１４】
患者の創傷を治療する創傷治療システムにおいて、
前記創傷に配置するための治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記第２の患者対面側面が前記第１のシール部材の前記第１の側面に近接して配置される、空気移動マニホールドと；
前記空気移動マニホールドの前記第１の側面を覆うように配置されてチャネル空間を形成する第２のシール部材と；
前記第２のシール部材に形成され、空気が前記チャネル空間から出ることができるようにする少なくとも１つの排気ポートと；
前記密閉空間に流体的に結合された第１のインターフェースと；
前記チャネル空間に流体的に結合された第２のインターフェースと；
前記第１のインターフェースに流体的に結合された第１の減圧導管と；
前記第２のインターフェースに流体的に結合された第２の減圧導管と；
減圧を生じるポンプであって、前記第１の減圧導管および前記第２の減圧導管に流体的に結合され、前記第１の減圧導管および前記第２の減圧導管に減圧を供給するポンプと
を含むことを特徴とする、創傷治療システム。
【請求項１５】
請求項１４に記載の創傷治療ドレッシングにおいて、前記第２の減圧導管に関連付けられ、内部の前記空気の流れを制御する弁をさらに含み、前記弁は、前記第１の減圧導管内の圧力が第１の閾値圧力を超えるまで閉鎖されたままであり、かつ開放したら、減圧が前記第２の減圧導管内に流れるように構成されていることを特徴とする、創傷治療ドレッシング。
【請求項１６】
患者の創傷を治療する創傷治療システムにおいて、
前記創傷に配置するための治療マニホールドであって、第１の側面および第２の患者対面側面を有する治療マニホールドと；
前記治療マニホールドの前記第１の側面と無傷の皮膚の一部分とを覆って配置され、前記治療マニホールドを含む密閉空間を形成する第１のシール部材であって、高透湿度ドレープを含む第１のシール部材と；
第１の側面および第２の患者対面側面を有する空気移動マニホールドであって、前記第２の患者対面側面が前記第１のシール部材の前記第１の側面に近接して配置される、空気移動マニホールドと；
前記空気移動マニホールドの前記第１の側面を覆うように配置されてチャネル空間を形成する第２のシール部材と；
前記第２のシール部材に形成され、空気が前記チャネル空間から出ることができるようにする少なくとも１つの排気ポートと；
前記第２のシール部材から少なくとも前記空気移動マニホールドを通って延在する複数のベローズと；
前記密閉空間に流体的に結合された第１の減圧源と；
前記複数のベローズに流体的に結合され、かつ減圧下で、前記ベローズを第１の自由な状態から第２のつぶれた状態まで動かすように動作可能であり、それにより、前記空気移動マニホールド内の少なくとも一部の空気が前記少なくとも１つの排気ポートから押し出される、第２の減圧源と
を含むことを特徴とする、創傷治療システム。
【請求項１７】
創傷治療システムと共に使用するための圧力導管において、前記圧力導管が：横断面において２を上回るアスペクト比を有する導管本体を含み、および支持壁によって分離された２つの周辺円形導管および２つの空洞通路を有することを特徴とする、圧力導管。
【請求項１８】
創傷治療システムと共に使用するための圧力導管において、前記圧力導管が：内部空間と、前記内部空間内に配置されたガス輸送材料と、内部空間内に配置された少なくとも１つの内部導管とを有するパウチを含むことを特徴とする、圧力導管。
【請求項１９】
患者の創傷を治療する方法において、前記方法が：
前記創傷に近接して、第１の側面および第２の患者対面側面を有する治療マニホールドを配置するステップと；
前記治療マニホールドと無傷の皮膚の一部分とを、高透湿度ドレープを含みかつ少なくとも１つのポートを有する第１のシール部材によって、覆って、前記治療マニホールドを含む密閉空間を形成するステップと；
前記第１のシール部材に近接して空気移動マニホールドを配置するステップと；
前記空気移動マニホールドを覆って第２のシール部材を配置してチャネル空間を形成するステップと；
前記密閉空間に減圧源を流体的に結合して、そこに減圧を供給するステップと；
前記第２のシール部材にコアンダ装置を結合するステップと；
前記コアンダ装置を圧力源および前記チャネル空間に流体的に結合するステップであって、
前記コアンダ装置が：
中心開口部を形成しかつ内部通路およびノズル開口部を有する環状ノズル、および
前記ノズル開口部に近接しその下流にあるコアンダ面であって、それにより、前記ノズル開口部から出る流体が、前記中心開口部から追加的な流体を取り込んで、流体の複合流を生成する、コアンダ面
を含む、ステップと；
前記第２のシール部材のコアンダ開口部に前記コアンダ装置を流体的に結合するステップと；
前記コアンダ装置に正圧をもたらして、前記空気移動マニホールド内に流体の流れを発生させるステップと
を含むことを特徴とする、方法。
【請求項２０】
請求項１９に記載の創傷を治療する方法において、前記コアンダ装置に正圧をもたらす前記ステップが、前記コアンダ装置に断続的に正圧をもたらすことを含むことを特徴とする、方法。
【請求項２１】
請求項１９に記載の創傷を治療する方法において、前記コアンダ装置に正圧をもたらす前記ステップが、前記治療マニホールドが飽和していることを飽和センサーが示すときに、前記コアンダ装置に正圧をもたらすことを含むことを特徴とする、方法。
【請求項２２】
請求項１９に記載の創傷を治療する方法において、前記コアンダ装置が、前記コアンダ開口部から流体を引き出し、それにより、前記少なくとも１つのポートから前記空気移動マニホールドを通って、前記コアンダ開口部から出るように流体を引き出すように構成されていることを特徴とする、方法。
【請求項２３】
請求項１９に記載の創傷を治療する方法において、前記コアンダ装置が、前記コアンダ開口部に流体を押し込み、それにより、前記コアンダ開口部から前記空気移動マニホールドを通って、前記少なくとも１つのポートから流体を押し出すように構成されていることを特徴とする、方法。
【請求項２４】
請求項２２に記載の創傷を治療する方法において、時間Ｔにわたって空気の量Ｖ１が前記コアンダ装置に供給され、および時間Ｔにわたって空気の量Ｖ２が前記コアンダ装置の前記中心開口部を通って供給され、それにより、空気量が増大される（Ｖ２＋Ｖ１）ことを特徴とする、方法。
【請求項２５】
請求項２３に記載の方法において、時間Ｔにわたって空気量Ｖ１が前記コアンダ装置に供給され、および時間Ｔにわたって空気量Ｖ２が前記コアンダ装置の前記中心開口部を通って供給され、それにより、空気量が増大される（Ｖ２＋Ｖ１）ことを特徴とする、方法。
【請求項２６】
請求項１９に記載の方法において、正圧をもたらす前記ステップが、前記コアンダ装置に高圧をもたらすことを含み、および低圧流が前記中心開口部を通って生成されることを特徴とする、方法。
【発明の詳細な説明】
【技術分野】
【０００１】
本発明は、概して、本発明が、３５  ＵＳＣ  §  １１９（ｅ）下において、以下の、２０１１年８月３１日出願の米国仮特許出願第６１／５２９，７２２号（「ＲＥＤＵＣＥＤ−ＰＲＥＳＳＵＲＥ  ＤＲＥＳＳＩＮＧＳ，  ＳＹＳＴＥＭＳ，  ＡＮＤ  ＭＥＴＨＯＤＳ  ＷＩＴＨ  ＥＶＡＰＯＲＡＴＩＶＥ  ＤＥＶＩＣＥＳ」）（あらゆる点において参照することにより本願明細書に援用する）；２０１１年８月３１日出願の米国仮特許出願第６１／５２９，７０９号（「ＥＶＡＰＯＲＡＴＩＶＥ  ＦＬＵＩＤ  ＰＯＵＣＨ  ＡＮＤ  ＳＹＳＴＥＭＳ  ＦＯＲ  ＵＳＥ  ＷＩＴＨ  ＢＯＤＹ  ＦＬＵＩＤＳ」）（あらゆる点において参照することにより本願明細書に援用する）；２０１１年８月３１日出願の米国仮特許出願第６１／５２９，７３５号（「ＡＢＳＯＲＢＥＮＴ  ＰＯＬＹＭＥＲ  ＤＲＥＳＳＩＮＧＳ，  ＳＹＳＴＥＭＳ，  ＡＮＤ  ＭＥＴＨＯＤＳ  ＥＭＰＬＯＹＩＮＧ  ＥＶＡＰＯＲＡＴＩＶＥ  ＤＥＶＩＣＥＳ」）（あらゆる点において参照することにより本願明細書に援用する）；２０１１年８月３１日出願の米国仮特許出願第６１／５２９，７５１（「ＲＥＤＵＣＥＤ−ＰＲＥＳＳＵＲＥ  ＩＮＴＥＲＦＡＣＥＳ，  ＳＹＳＴＥＭＳ，  ＡＮＤ  ＭＥＴＨＯＤＳ  ＥＭＰＬＯＹＩＮＧ  Ａ  ＣＯＡＮＤＡ  ＤＥＶＩＣＥ」）（あらゆる点において参照することにより本願明細書に援用する）；および２０１１年４月１２日出願の米国特許出願第１３／０８４，８１３号（「ＤＲＥＳＳＩＮＧＳ  ＡＮＤ  ＭＥＴＨＯＤＳ  ＦＯＲ  ＴＲＥＡＴＩＮＧ  Ａ  ＴＩＳＳＵＥ  ＳＩＴＥ  ＯＮ  Ａ  ＰＡＴＩＥＮＴ」）（あらゆる点において参照することにより本願明細書に援用する）の利益を主張する、方法、システム、および構成に関する。
【０００２】
本開示は、概して、滲出液などの液体を生じる創傷を治療するための治療システムに関し、より詳細には、限定するものではないが、蒸発装置を備える医療用減圧ドレッシング、システム、および方法に関する。
【背景技術】
【０００３】
創傷のケアは、治癒過程において重要である。創傷は、かなりの量の液体、例えば、滲出液を生じることが多い。医療用ドレッシングは、創傷からの液体の生成に対処するために、創傷のケアにおいて使用されることが多い。適切に対処しないと、創傷における液体が感染または創傷周囲部の浸軟を引き起こし得る。本明細書を通して、「または」は相互排他性である必要はない。創傷ドレッシングは単独で使用してもよいし、または組織部位に減圧を行う態様として使用してもよい。
【０００４】
臨床試験および実習から、組織部位に近接して減圧をもたらすことによって、組織部位における新しい組織の成長を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には、迅速な治癒や肉芽組織の形成加速化が含まれる。
【発明の概要】
【０００５】
例示的実施形態によれば、患者の創傷を治療する創傷治療システムが、創傷に近接して配置される治療マニホールドを含む。治療マニホールドは、第１の側面および第２の患者対面側面を有する。創傷治療システムは、さらに、治療マニホールドの第１の側面を覆って配置され、治療マニホールドを含む密閉空間を形成する第１のシール部材を含む。第１のシール部材は、高透湿度（ｈｉｇｈ−ｍｏｉｓｔｕｒｅ−ｖａｐｏｒ−ｔｒａｎｓｆｅｒ−ｒａｔｅ）ドレープを含む。創傷治療システムはまた、第１の側面および第２の患者対面側面を有する空気移動マニホールドを含む。第２の患者対面側面は、第１のシール部材の第１の側面に近接して配置される。創傷治療システムは、さらに、空気移動マニホールドの第１の側面を覆うように配置されてチャネル空間を形成する第２のシール部材と、第２のシール部材に形成され、チャネル空間から空気が出ることができるようにする少なくとも１つのポートと、減圧を生じる減圧源とを含む。減圧源は、密閉空間に流体的に結合され、そこに減圧を供給する。創傷治療システムはまた、圧力源およびコアンダ（Ｃｏａｎｄａ）装置を含む。コアンダ装置は、第２のシール部材に結合され、かつ圧力源およびチャネル空間に流体的に結合されている。コアンダ装置は、中心開口部を形成しかつ内部通路およびノズル開口部を有する環状ノズルと、ノズル開口部に近接しその下流にあるコアンダ面であって、それにより、ノズル開口部から出る流体が、中心開口部から追加的な流体を取り込んで、流体の複合流を生成するコアンダ面とを含む。コアンダ装置は、第２のシール部材のコアンダ開口部に流体的に結合されている。
【０００６】
別の例示的実施形態によれば、患者の創傷を治療する創傷治療ドレッシングが、創傷に配置するための治療マニホールドを含む。治療マニホールドは、第１の側面および第２の患者対面側面を有する。創傷治療ドレッシングはまた、治療マニホールドの第１の側面を覆うように配置されて、治療マニホールドを含む密閉空間を形成する第１のシール部材を含む。第１のシール部材は高透湿度ドレープを含む。創傷治療ドレッシングは、さらに、第１の側面および第２の患者対面側面を有する空気移動マニホールドを含む。第２の患者対面側面は、第１のシール部材の第１の側面に近接して配置される。創傷治療ドレッシングはまた、空気移動マニホールドの第１の側面を覆って配置されてチャネル空間を形成する第２のシール部材と、第２のシール部材に形成され、空気がチャネル空間から出ることができるようにする少なくとも１つのポートと、第２のシール部材に結合されたコアンダ装置とを含む。コアンダ装置は、中心開口部を形成しかつ内部通路およびノズル開口部を有する環状ノズルと、ノズル開口部に近接しその下流の位置にあるコアンダ面であって、それにより、ノズル開口部から出る流体が、中心開口部から追加的な流体を取り込んで、流体の複合流を生成するコアンダ面とを含む。コアンダ装置は、第２のシール部材のコアンダ開口部に流体的に結合されている。
【０００７】
別の例示的実施形態によれば、患者の創傷を治療する創傷ドレッシングが、創傷から液体を受け取りかつ貯蔵する手段；液体を受け取りかつ貯蔵する手段から離れるように液体を移動させる手段；および液体を移動させる手段から液体を蒸発させる手段を含む。液体を蒸発させる手段はコアンダ装置とし得る。
【０００８】
別の例示的実施形態によれば、患者の創傷を治療する方法は、創傷に近接して治療マニホールドを配置するステップを含む。治療マニホールドは、第１の側面および第２の患者対面側面を有する。この方法は、さらに、治療マニホールドと、無傷の皮膚の一部分とを第１のシール部材によって覆って、治療マニホールドを含む密閉空間を形成することを含む。第１のシール部材は、高透湿度ドレープを含み、かつ少なくとも１つのポートを有する。この方法はまた、第１のシール部材に近接して空気移動マニホールドを配置するステップと、空気移動マニホールドを覆って第２のシール部材を配置してチャネル空間を形成するステップと、減圧源を密閉空間に流体的に結合して、そこに減圧を供給するステップと、第２のシール部材にコアンダ装置を結合するステップとを含む。この方法は、さらに、圧力源およびチャネル空間にコアンダ装置を流体的に結合するステップを含む。コアンダ装置は、中心開口部を形成しかつ内部通路およびノズル開口部を有する環状ノズルと、ノズル開口部に近接しその下流にあるコアンダ面であって、それにより、ノズル開口部から出る流体が、中心開口部から追加的な流体を取り込んで、流体の複合流を生成するコアンダ面とを含む。この方法は、さらに、第２のシール部材のコアンダ開口部にコアンダ装置を流体的に結合するステップと、コアンダ装置に正圧をもたらして、空気移動マニホールド内に流体の流れを発生させるステップとを含む。
【０００９】
別の例示的実施形態によれば、患者の創傷を治療する創傷治療システムは、創傷に配置するための治療マニホールドを含む。治療マニホールドは、第１の側面および第２の患者対面側面を有する。創傷治療システムは、さらに、治療マニホールドの第１の側面を覆って配置して、治療マニホールドを含む密閉空間を形成する第１のシール部材を含む。第１のシール部材は、高透湿度ドレープと、第１の側面および第２の患者対面側面を有する空気移動マニホールドとを含む。空気移動マニホールドの第２の患者対面側面は、第１のシール部材の第１の側面に近接して配置される。創傷治療システムは、空気移動マニホールドの第１の側面を覆って配置されてチャネル空間を形成する第２のシール部材と、第２のシール部材に形成され、空気がチャネル空間から出ることができるようにする少なくとも１つの排気ポートとを含む。システムは、さらに、減圧を生じる第１のポンプを含む。第１のポンプは、密閉空間に流体的に結合され、そこに減圧を供給する。創傷治療システムはまた、正圧を生じる第２のポンプを含む。第２のポンプは、チャネル空間に流体的に結合されており；および第１のポンプおよび第２のポンプは、第１のシール部材から少なくとも５センチメートルの距離にある。
【００１０】
別の例示的実施形態によれば、患者の創傷を治療する創傷治療システムは、創傷に配置するための治療マニホールドであって、第１の側面および第２の患者対面側面を有する治療マニホールドと；治療マニホールドの第１の側面と無傷の皮膚の一部分とを覆って配置され、治療マニホールドを含む密閉空間を形成する第１のシール部材であって、高透湿度ドレープを含む第１のシール部材と；第１の側面および第２の患者対面側面を有する空気移動マニホールドであって、第２の患者対面側面が第１のシール部材の第１の側面に近接して配置される空気移動マニホールドと；空気移動マニホールドの第１の側面を覆うように配置されてチャネル空間を形成する第２のシール部材と；第２のシール部材に形成され、空気がチャネル空間から出ることができるようにする少なくとも１つの排気ポートとを含む。システムは、さらに、減圧を生じるポンプを含み、ポンプは、密閉空間に流体的に結合され、そこに減圧を供給し、かつチャネル空間に流体的に結合され、そこに減圧を供給する。
【００１１】
別の例示的実施形態によれば、患者の創傷を治療する創傷治療システムは、創傷に配置するための治療マニホールドであって、第１の側面および第２の患者対面側面を有する治療マニホールドと；治療マニホールドの第１の側面と無傷の皮膚の一部分とを覆って配置され、治療マニホールドを含む密閉空間を形成する第１のシール部材であって、高透湿度ドレープを含む第１のシール部材と；第１の側面および第２の患者対面側面を有する空気移動マニホールドであって、第２の患者対面側面が第１のシール部材の第１の側面に近接して配置される空気移動マニホールドと；空気移動マニホールドの第１の側面を覆うように配置されてチャネル空間を形成する第２のシール部材と；第２のシール部材に形成され、空気がチャネル空間から出ることができるようにする少なくとも１つの排気ポートとを含む。システムは、さらに、密閉空間に流体的に結合された第１のインターフェースと；チャネル空間に流体的に結合された第２のインターフェースと；第１のインターフェースに流体的に結合された第１の減圧導管と；第２のインターフェースに流体的に結合された第２の減圧導管と；減圧を生じるポンプとを含む。ポンプは、第１の減圧導管および第２の減圧導管に流体的に結合され、第１の減圧導管および第２の減圧導管に減圧を供給する。
【００１２】
別の例示的実施形態によれば、患者の創傷を治療する創傷治療システムは、創傷に配置するための治療マニホールドであって、第１の側面および第２の患者対面側面を有する治療マニホールドと；治療マニホールドの第１の側面と無傷の皮膚の一部分とを覆って配置され、治療マニホールドを含む密閉空間を形成する第１のシール部材であって、高透湿度ドレープを含む第１のシール部材と；第１の側面および第２の患者対面側面を有する空気移動マニホールドであって、第２の患者対面側面が第１のシール部材の第１の側面に近接して配置される空気移動マニホールドと；空気移動マニホールドの第１の側面を覆うように配置されてチャネル空間を形成する第２のシール部材とを含む。システムは、さらに、第２のシール部材に形成され、空気がチャネル空間から出ることができるようにする少なくとも１つの排気ポートと；第２のシール部材から少なくとも第１のシール部材を通って延在する複数のベローズと；密閉空間に流体的に結合された第１の減圧源と；複数のベローズに流体的に結合され、かつ減圧下で、ベローズを第１の自由な状態から第２のつぶれた状態まで動かすように動作可能な第２の減圧源とを含み、それにより、空気移動マニホールドにある少なくとも一部の空気が、少なくとも１つの排気ポートから押し出される。
【００１３】
例示的実施形態の他の態様、特徴、および利点は、以下の図面および詳細な説明を参照して明らかとなる。
【図面の簡単な説明】
【００１４】
【図１】図１は、患者の創傷を治療する創傷治療システムの例示的実施形態の、一部分を断面で示す概略的な斜視図である。
【図２】図２は、コアンダ装置の例示的実施形態の概略的な斜視図である。
【図３】図３は、図２のコアンダ装置の概略的な断面図である。
【図４】図４は、患者の創傷を治療する創傷治療システムの概略図である。
【図５】図５は、患者の創傷を治療する創傷治療システムの例示的実施形態の、一部分を断面で示す概略図である。
【図６】図６は、患者の創傷を治療する創傷治療システムの例示的実施形態の、一部分を断面で示す概略図である。
【図７】図７は、患者の創傷を治療する創傷治療システムの例示的実施形態の、一部分を断面で示す概略図である。
【図８】図８は、圧力導管の例示的実施形態の概略的な断面図である。
【図９】図９は、圧力導管の例示的実施形態の概略的な断面図である。
【図１０Ａ】図１０Ａは、伸展位状態で示す、患者の創傷を治療する創傷治療システムの例示的実施形態の、一部分を断面で示す概略図である。
【図１０Ｂ】図１０Ｂは、つぶれた状態で示す、図１０Ａの創傷治療システムの例示的実施形態の、一部分を断面で示す概略図である。
【発明を実施するための形態】
【００１５】
以下の例示的非限定的な実施形態の詳細な説明では、その一部をなす添付図面を参照する。これらの実施形態を、当業者が本発明を実施できるのに十分な程度、詳細に説明し、ならびに、本発明の趣旨または範囲から逸脱せずに、他の実施形態を使用し得ること、および論理的な構造的、機械的、電気的、および化学的な変更がなされ得ることが理解される。当業者が、本明細書で説明する実施形態を実施できるようにするのに必要ではない詳細を避けるために、説明では、当業者に公知の特定の情報を省略し得る。それゆえ、以下の詳細な説明は、限定ととられるべきではなく、例示的実施形態の範囲は、添付の特許請求の範囲によってのみ定義される。
【００１６】
ここで図面、初めに図１を参照すると、患者１０４の創傷１０２を治療するための創傷治療システム１００の例示的実施形態が示されている。創傷１０２は、任意の損傷したまたは不規則な組織とし得る。創傷１０２は、表皮１０６に部分的に延在しているように示す。創傷治療システム１００は、液体を生じる創傷に特に好適である。蒸発サブシステム１０８が、システム１００から流体を除去するのを助ける。この実施形態では、蒸発サブシステム１０８は、以下でさらに説明するようなコアンダ装置１１０を含む。
【００１７】
創傷治療システム１００は、創傷に近接して配置するための治療マニホールド１１２を含む。治療マニホールド１１２は、第１の側面１１４および第２の患者対面側面１１６を有する。治療マニホールド１１２は、創傷１０２に減圧を分配させ、かつ創傷１０２から、液体を含む流体を受け取るためのものであり、かつこれらの作業を機能的に実施する任意の材料とし得る。マニホールドは、一般的に、組織部位または創傷に減圧を行う、組織部位または創傷に流体を供給する、または組織部位または創傷から流体を除去するのを支援するために設けられる物体または構造を指す。治療マニホールド１１２の例は、限定はされないが、以下のうちの１つ以上を含み得る：流路を形成するように配置された構造要素を有する装置、例えば、気泡質の発泡体、連続気泡発泡体、多孔性組織集合体、液体、ゲル、および流路を含むまたは硬化して流路を含む発泡体；多孔質材、例えば発泡体、ガーゼ、フェルトのマット、または特定の生物学的応用に好適な任意の他の材料；または流路の機能を果たす複数の連続気泡または細孔を含む多孔質発泡体、例えば、ポリウレタン製の連続気泡の網状発泡体、例えばＫｉｎｅｔｉｃ  Ｃｏｎｃｅｐｔｓ，Ｉｎｃ．（ＫＣＩ）（Ｓａｎ  Ａｎｔｏｎｉｏ、Ｔｅｘａｓ）製のＧｒａｎｕＦｏａｍ（登録商標）材など；生体再吸収性材料；または足場材料など。
【００１８】
治療マニホールド１１２は、第１のシール部材１１８によって覆われている。第１のシール部材１１８は、治療マニホールド１１２の第１の側面１１４と無傷の皮膚１２０の一部分とを覆って配置され、治療マニホールド１１２を含む密閉空間１２２を生じる。第１のシール部材１１８は、取付装置１２３、例えば、接着剤によって、無傷の皮膚１２０に、および治療マニホールド１１２の第１の側面１１４に接着され得る。第１のシール部材１１８は高透湿度ドレープを含む。「透湿度」または「ＭＶＴＲ」は、所与の期間内に材料を通過できる水分量を表す。第１の高透湿度ドレープは、一般に、３００ｇ／ｍ２／２４時間超、より典型的には１０００ｇ／ｍ２／２４時間以上の透湿度を有する。第１のシール部材１１８は、蒸気が治療マニホールド１１２から第１のシール部材１１８を通って空気移動マニホールド１２４まで出ることができるようにする。第１のシール部材１１８は、第１の側面１１９および第２の患者対面側面１２１を有する。
【００１９】
第１のシール部材１１８は、多数の材料のいずれか、例えば以下のもののいずれかを含み得る：親水性ポリウレタン、セルロース誘導体、親水性ポリアミド、ポリビニルアルコール、ポリビニルピロリドン、親水性シリコーンポリマー、親水性アクリル、親水性シリコーンエラストマー、およびこれらのコポリマー。特定の例示的非限定的な一実施形態として、第１のシール部材１１８は、Ｅｘｐｏｐａｃｋ  Ａｄｖａｎｃｅｄ  Ｃｏａｔｉｎｇｓ（Ｗｒｅｘｈａｍ、Ｕｎｉｔｅｄ  Ｋｉｎｇｄｏｍ）から名称ＩＮＳＰＩＲＥ２３０１で販売されている通気性のキャストマットポリウレタンフィルムから形成し得る。図示のシール部材は、１４５００〜１４６００ｇ／ｍ２／２４時間のＭＶＴＲ（インバーテッドカップ（ｉｎｖｅｒｔｅｄ  ｃｕｐ）技術）を有する。ｗｗｗ．ｅｘｏｐａｃｋａｄｖａｎｃｅｄｃｏａｔｉｎｇｓ．ｃｏｍを参照のこと。第１のシール部材１１８の厚さは可変としてもよく、１０〜４０ミクロン（μｍ）、例えば、１５、２０、２５、３０、３５、４０ミクロン、または述べた範囲のいずれかの数字とし得る。
【００２０】
先述の通り、第１のシール部材１１８は、取付装置１２３、例えば、接着剤によって無傷の皮膚１２０、および治療マニホールド１１２の第１の側面１１４に接着され得る。ＭＶＴＲに関する第１のシール部材１１８の性能は、取付装置１２３によって第１のシール部材１１２の第２の患者対面側面１２１の表面積の限られた部分を覆うことによってのみ高められ得る。例えば、第１のシール部材１１８の周辺縁部のみが覆われ得る、または限定されたパターンが使用され得る。後者の状況では、例示的一実施形態によれば、表面積の３０〜６０％のみが取付装置１２３によって覆われている。第２の患者対面側面１２１上に取付装置１２３によって限定的に被覆することは、取付装置１２３をパターン、例えば、グリッド、離間したドット、渦、または他のパターンで適用することによって達成し得る。別の実施形態では、第１のシール部材１１８は、溶接（例えば、超音波溶接またはＲＦ溶接）、ボンド、ステッチ、ステープル、または別の結合装置によって治療マニホールド１１２の第１の側面１１４に結合され得る。取付装置１２３は、第１のシール部材１１８の周辺部分にのみ適用され得る。
【００２１】
空気移動マニホールド１２４は、第１の側面１２６および第２の患者対面側面１２８を有する。第２の患者対面側面１２８は、第１のシール部材１１８の第１の側面１１９に近接して配置される。空気移動マニホールド１２４は、システム１００によって発生された圧縮下にあるときでも、空気が流れることができるようにするために開放型経路を提供する。空気移動マニホールド１２４は、これらの機能を実施する任意の物質とし得る。空気移動マニホールド１２４は、例えば、以下のうちの１つ以上とし得る：連続気泡発泡体、織り材料または不織材料、多孔質ポリマー、成形済みマトリクス、または焼結ポリマー。
【００２２】
空気移動マニホールド１２４の第１の側面を覆って配置されたまたはそれを覆う第２のシール部材１３０がチャネル空間１３２を形成する。第２のシール部材１３０は第１の側面１３４および第２の患者対面側面１３６を有する。第２のシール部材１３０の第２の患者対面側面１３６は、空気移動マニホールド１２４の第１の側面１２６に対して配置されている。第２のシール部材１３０は、取付装置１３３によって第１のシール部材１１８の一部分に取り付けられたまたは他の方法で封止された延長部分１３１を有し得る。第２のシール部材１３０は、以下の材料のうちの１つ以上から形成され得る：第１のシール部材１１８に関して述べた全ての材料、ならびに低ＭＶＴＲフィルム。材料が適切に空気の流れを含みかつ制御するように材料が構成または被覆されている限り、織り材料または不織材料も使用し得る。
【００２３】
第２のシール部材１３０は、空気の流れをチャネル空間１３２に方向付けるのを助け、かつ蒸気が出ることを可能にし得る。少なくとも１つのポート１３８が第２のシール部材１３０に形成されて、チャネル空間１３２から空気が出ることができるようにする。より典型的には、複数のポート１４０が第２のシール部材１３０を貫通して形成され、かつ一般に、コアンダ装置１１０または他のエアムーバーから離間されている。第１のシール部材１１８に細菌が発生する場合に創傷１０２に入る細菌に対する防衛手段として、細菌濾過器（図示せず）が複数のポート１４０の各々を覆い得る。第１のシール部材１１８と同様に、第２のシール部材１３０は、第２の患者対面側面１３６での取付装置１３３の被覆を限定し得る。
【００２４】
創傷治療システム１００は、減圧を生じる減圧源１４２を含む。減圧源１４２は、密閉空間１２２に流体的に結合され、密閉空間１２２に減圧を供給する。減圧を使用して、創傷１０２の組織を治療し、かつ創傷１０２から、液体を含む流体を除去する。減圧源１４２は、真空ポンプ、壁面吸い込み、マイクロポンプ、または他の減圧源とし得る。
【００２５】
減圧源１４２は、減圧導管１４４によって密閉空間１２２に流体的に結合されている。減圧導管１４４は、コアンダ装置１１０に関連付けて説明する。さらに、減圧導管１４４は、第２のシール部材１３０、空気移動マニホールド１２４、第１のシール部材１１８を通って、治療マニホールド１１２まで別々に延在し得ること、または減圧インターフェース（例えば、ＫＣＩ、Ｉｎｃ．（Ｓａｎ  Ａｎｔｏｎｉｏ、Ｔｅｘａｓ）から入手可能なＳｅｎｓｉ−ＴＲＡＣインターフェース）；または任意の他の手段を使用して流体的に結合され得ることを理解されたい。
【００２６】
創傷治療システム１００は、正圧源でありコアンダ装置１１０に流体的に結合されている圧力源１４６をさらに含み得る。圧力源１４６は、限定するものではないが、ポンプ、壁圧力源（ｗａｌｌ  ｓｏｕｒｃｅ）、加圧キャニスター、または他の手段を含む、任意の正圧源とし得る。ダイヤフラムポンプが多くの適用において好適である。圧力源１４６は、導管１４８によってコアンダ装置１１０に流体的に結合されている。圧力源１４６は、圧力ユニット１５０に減圧源１４２と共に収容され得る。
【００２７】
コアンダ装置１１０は、所望の目的のためにコアンダ効果を使用して空気を取り込むための装置である。コアンダ効果は、一般的に、流れ自体が、近くの表面に付着して、および表面（コアンダ面）が流れの初期の方向から離れても付着したままである現象である。流れが離れるように曲ると、周囲の流体を取り込み、流れの量を増やす。理論に縛られるものではないが、流れに近付けられた表面は、その領域における取り込みを制限するようであり、および運動量移動を平衡させるように流れが加速すると、流れにわたって圧力差が生じ、および方向が変化するまたは表面の近くに偏向される。この効果は、Ｈｅｎｒｉ  Ｃｏａｎｄａに由来し、およびこの概念は、Ｃｏａｎｄａへ与えられた米国特許第２，０５２，８６９号明細書において説明されている。
【００２８】
それゆえ、図１の例示的実施形態では、コアンダ装置１１０は、所望の空気の流れを発生させる。コアンダ装置１１０は、第２のシール部材１３０に結合され、かつ圧力源１４６およびチャネル空間１３２に流体的に結合される。コアンダ装置１１０は、導管１４８から正圧の空気を受け取って、流れを増大させ、この流れが、コアンダ装置１１０から空気移動マニホールド１２４へ、より一般的にはチャネル空間１３２へ供給される。空気の流れは、チャネル空間１３２および空気移動マニホールド１２４を通って流れ、および１つ以上のポート１３８、１４０から出る。
【００２９】
空気がチャネル空間１３２および空気移動マニホールド１２４を通って流れると、第１のシール部材１１８の第１の側面１１９上のいずれの水分または蒸気。同様に、これは、第１のシール部材１１８にわたる湿度勾配を増大させるかまたは維持し、これにより、治療マニホールド１１２からの液体の除去を助ける。同様に、それは、液体を処理する能力が高くなったことを含む多くの利益をもたらす。他の取り込み装置をコアンダ装置１１０として、またはドレッシングに空気を取り込み所望の空気の流れを達成するために使用してもよいことに留意されたい。従来の排出器などのようなこれら他の装置を使用して空気を取り込んで、高圧流の存在により、より多量の流れを生じさせる。この場合、プライマリーフローは、翼形状によって「引きずられる」、利用可能な二次空気源に近接して配置されて、エアマルチプライアーの効果を生じる。
【００３０】
ここで主に図２〜３を参照すると、例示的なコアンダ装置１１０が示されている。コアンダ装置１１０は環状ノズル１５２を含む。環状ノズル１５２は中心開口部１５４を形成する。環状ノズル１５２は、内部通路１５８を形成する壁１５６を有する。ノズル開口部１６０は、中心開口部１５４の方に向かって環状ノズル１５２に形成されている。壁１５６の一部分は、ノズル開口部１６０に近接したその下流にコアンダ面１６２を形成する。ノズル開口部１６０から出る流体または空気は、流れがコアンダ面１６２に従うとき、中心開口部１５４から追加的な流体を取り込む。空気の流れと、取り込まれた空気とが、流体の複合流を生成する。コアンダ装置１１０は、第２のシール部材１３０のコアンダ開口部１６４またはアパーチャに流体的に結合され、それにより、チャネル空間１３２および空気移動マニホールド１２４への流れを可能にする。
【００３１】
図示の構成では、空気は、図３の矢印１６６で示すように、ノズル開口部１６０から出るように動く。空気の流れは、矢印１６８で示すように、中心開口部１５４から追加的な空気を取り込む。流体の複合流は、矢印１７０で示す。時間Ｔにわたって空気の量Ｖ１が導管１４８によってコアンダ装置１１０まで供給され、および時間Ｔにわたって空気の量Ｖ２がコアンダ装置を通って中心開口部１５４に供給される場合、空気の複合流（Ｖ２＋Ｖ１）は増大されることが明白である。ノズル開口部１６０が第２のシール部材１３０から離れるように空気を放出し、かつ中心開口部１５４から補充された空気が、第２のシール部材１３０においてコアンダ開口部１６４から引き出されるように、コアンダ装置１１０を反転動作し得ることも理解されたい。この後者の実施形態では、コアンダ装置１１０は、コアンダ開口部１６４から流体を引き出し、それにより、少なくとも１つのポート１３８から空気移動マニホールド１２４を通ってコアンダ開口部１６４から出るように流体を引き出すように構成される。高圧流がコアンダ装置１１０に供給され、かつ低圧流が流体の複合流によって生じる。
【００３２】
ここで図４を参照すると、システム１００の能動的な制御を明示する創傷治療システム１００の図が示されている。図４の創傷治療システム１００は、コントローラ１７２および飽和センサー１７４が追加されていることを除いて、図１と類似している。飽和センサー１７４は、治療マニホールド１１２およびコントローラ１７２に動作可能に結合されている。コントローラは、バッテリー（明示せず）を含む。コントローラ１７２および飽和センサー１７４は、治療マニホールド１１２が飽和したときを判断する。飽和は、治療マニホールド１１２内の液体量が、第１の閾値または設計閾値を超えたことを意味する。そこで、コントローラは圧力源１４６を起動し、空気移動マニホールド１２４に空気の流れを発生させて、液体の除去を支援し得る。同様に、コントローラ１７２および飽和センサー１７４が、治療マニホールド１１２がもはや飽和していないと判断すると、コントローラ１７２は、圧力源１４６の動作を停止させる。
【００３３】
飽和センサー１７４は、治療マニホールド１１２の飽和状態の監視を可能にする任意の装置とし得る。例えば、限定するものではないが、飽和センサー１７４は、液体が抵抗素子を覆うと抵抗を変化させる抵抗素子、創傷からの液体で覆われると電圧を生じるガルバニ電池、または飽和した液体が近くにあると性質を変化さ得る静電容量センサー、または任意の他の電気飽和センサーとし得る。
【００３４】
全体的に図１〜４を参照すると、例示的一実施形態によれば、治療マニホールド１１２は、創傷１０２に近接して配置される。治療マニホールド１１２と、無傷の皮膚１２０の一部分とが、第１のシール部材１１８によって覆われて、治療マニホールド１１２を含む密閉空間１２２を形成する。空気移動マニホールド１２４は、第１のシール部材１１８に近接して配置される。第２のシール部材１３０は、空気移動マニホールド１２４を覆って配置されて、チャネル空間１３２を形成する。減圧源１４２は、密閉空間１２２に流体的に結合されて、そこに減圧を供給する。
【００３５】
コアンダ装置１１０は第２のシール部材１３０に結合されている。コアンダ装置１１０は、圧力源１４６およびチャネル空間１３２に流体的に結合されている。コアンダ装置１１０は、第２のシール部材１３０においてコアンダ開口部１６４に流体的に結合されている。そこで、圧力源１４６からコアンダ装置１１０まで正圧がもたらされ、空気移動マニホールド１２４内に流体の流れを発生させる。正圧は、コアンダ装置１１０に連続的にまたは断続的にもたらされ得る。断続的なサイクルは、いくつもの要因、例えば予期された飽和、実際の飽和、治療段階、バッテリーの残存容量、または他の要因に基づいて、一定であってもまたは変動してもよい。正圧はまた、図４に関連して説明したように、コントローラ１７２および飽和センサー１７４を使用して能動的に制御され得る。
【００３６】
蒸発サブシステム１０８は、空気移動マニホールド１２４、第２のシール部材１３０、および空気移動マニホールド１２４における空気移動源、例えば、コアンダ装置１１０を含み得る。他の空気移動源を蒸発サブシステム１０８の一部として使用してもよい。
【００３７】
ここで図５を参照すると、患者１０４の創傷１０２を治療する別の創傷治療システム１００が示されている。創傷治療システム１００は、多くの点で図１の創傷治療システム１００と類似しており、従って、いくつかの部分に同じ符号を付すが、さらに説明することはしない。創傷１０２は、表皮１０６および真皮１０７を通って延在する。この実施形態では、コアンダ装置１１０は、チャネル空間１３２および空気移動マニホールド１２４に直接正圧を供給することによって置き換えられる。
【００３８】
減圧源１４２は、例えば、第１のポンプまたは真空ポンプ、または減圧の生成に関して既に述べた任意の他の減圧源とし得る。すでに述べた通り、減圧源１４２は、密閉空間１２２に流体的に結合され、そこに減圧を供給する。減圧導管１４４は、減圧源１４２を第１の圧力インターフェース１７６に流体的に結合する。第１の圧力インターフェース１７６は、密閉空間１２２に流体的に結合されている。
【００３９】
圧力源１４６は、第２のポンプ、または既に述べた任意の他の圧力源とし得る。圧力源１４６は、導管１４８によって第２の圧力インターフェース１７８に流体的に結合され得る。第２の圧力インターフェース１７８は、チャネル空間１３２に流体的に結合される。当然のことながら、圧力源１４６は、正圧を供給し得る、または第２の圧力インターフェース１７８から空気を引き出し得る。いずれの場合も、チャネル空間１３２に空気の流れが生じる。
【００４０】
本明細書の全ての実施形態と同様に、図４の能動的な制御部品は、この実施形態でも容易に追加し得る。圧力源１４６および減圧源１４２は、例えば、第１の圧力インターフェース１７６および第２の圧力インターフェース１７８のそれぞれから、少なくとも５センチメートル、典型的には１４センチメートル超、離れている。
【００４１】
ここで主に図６を参照すると、患者１０４の創傷１０２を治療するための別の創傷治療システム１００が示されている。創傷治療システム１００は、多くの点で、図１および図５の創傷治療システム１００と類似しており、従って、図６ではいくつかの部分に同じ符号を付すが、さらに説明することはしない。図６の例示的実施形態では、ポンプ１８０を減圧源１４２のために、および圧力源１４６として使用する。第１の圧力インターフェース１７６は密閉空間１２２に流体的に結合され、および第２のインターフェース１７８はチャネル空間１３２に流体的に結合されている。第１の導管１４４は第１の圧力インターフェース１７６に流体的に結合されている。第２の導管１４８は第２のインターフェース１７８に流体的に結合されている。ポンプ１８０は、減圧および正圧の排出をもたらすように動作可能である。ポンプ１８０は、第１の導管１４４および第２の導管１４８に流体的に結合されている。細菌濾過器１８２が第２の導管１４８に関連付けられ、内部の空気の流れから細菌を除去する。それゆえ、チャネル空間１３２に入る前に空気が濾過される。
【００４２】
ポンプ１８０の低圧側に流体的に結合された支流導管１８６上に、弁１８４があるとし得る。設定された減圧が弁１８４内で実現されると、弁１８４によって、空気は入口１８８からポンプ１８０に入ることができる。この流れによって、ポンプ１８０は排気を生成することができ、それが導管１４８に供給される。弁１８４は、比例弁または任意の他のタイプの弁としてもよく、および典型的には、導管１４４にもたらされた圧力が−１２５ｍｍ  Ｈｇまたはそれよりも負である（例えば、−１２５〜−２００ｍｍ  Ｈｇ）とき、流れがポンプ１８０に入ることができるように選択または調整される。
【００４３】
ここで図７を参照すると、患者１０４の創傷１０２を治療するための別の創傷治療システム１００が示されている。創傷治療システム１００は、多くの点で図１および図５の創傷治療システム１００と類似しており、従って、図７ではいくつかの部分に同じ符号を付すが、さらに説明することはしない。図７の例示的実施形態では、単一のポンプ１８０を同様に使用するが、今回は、ポンプ１８０の低圧側は、蒸発サブシステム１０８および創傷１０２の減圧治療に使用される。
【００４４】
ポンプ１８０の低圧側（吸引側）１８１は、第１の導管１４４および第２の導管１４８の双方に流体的に結合されている。それゆえ、この実施形態では、空気が少なくとも１つのポート１３８または複数のポートに引き込まれ、空気移動マニホールド１２４、および第２の導管１４８を通ってポンプ１８０まで至る。ポンプ１８０のサイズは、創傷１０２における所望の減圧の維持、および蒸発サブシステム１０８を通る十分な流れの生成を同時に行える十分な能力を有するサイズにされている。弁１９０は、第２の導管１４８と直列であり、かつ第１の導管１４４の圧力が閾値の減圧に達するまで閉鎖されたままである。閾値の減圧に達したら、弁は開放して、第２の導管１４８での流れを可能にする。弁は、比例弁、ニードル弁、ゲート弁、または他の弁のタイプとし得る。
【００４５】
ここで主に図８を参照すると、創傷治療システムと共に使用する圧力導管１９２が示されている。圧力導管１９２は、横断面において２を上回るアスペクト比を有する導管本体１９４を含む。アスペクト比は、短い寸法１９５分の長い寸法１９３である。圧力導管１９２は、支持壁２０５によって分離された２つの周辺導管１９６、１９８および２つの空洞通路２００、２０２を含む。
【００４６】
ここで主に図９を参照すると、創傷治療システム、例えば図１の創傷治療システム１００と共に使用する圧力導管１９２の別の例示的実施形態が示されている。圧力導管１９２は、内部空間２０６と、内部空間２０６内に配置されたガス輸送材料２０８と、内部空間２０６内に配置された少なくとも１つの内部導管２１０とを有するパウチ２０４を含む。パウチ２０４は、結合部２１４によってそれらの外側縁部２１６において締結された２つのポリマーシート２１２によって形成され得る。
【００４７】
図８および図９の図示の導管は、本明細書のシステムと共に使用する２つの流体ストリームを運搬する２つの代替方法を示す。これらの導管は、デュアルルーメンチューブを使用することの代替案を示す。異なる断面を使用して、異なる流れ特性に好適なようにし得る。伝統的な陰圧閉鎖療法（ＮＰＷＴ）では、流れが比較的低流量であることは普通である。本明細書で使用した蒸発サブシステム１０８では、流れはより大流量であり、および導管の大きな断面によって、そうでなければ小径のルーメンに付随する圧力降下を低下させる。
【００４８】
ここで主に図１０Ａおよび図１０Ｂを参照すると、患者１０４の創傷１０２を治療するための別の創傷治療システム１００が示されている。創傷治療システム１００は、多くの点で図１および図５の創傷治療システム１００と類似しており、従って、図１０Ａおよび図１０Ｂではいくつかの部分に同じ符号を付すが、さらに説明することはしない。他の実施形態と同様に、創傷治療システム１００は、治療マニホールド１１２、第１のシール部材１１８、密閉空間１２２、空気移動マニホールド１２４、第２のシール部材１３０、およびチャネル空間１３２を含む。この例示的実施形態では、蒸発サブシステム１０８は、第２のシール部材１３０から少なくとも空気移動マニホールドを通って延在する複数のベローズ２１８を含み、かつ、および第１のシール部材１１８を通過し得る。第１の減圧源１４２は、密閉空間１２２に流体的に結合されている。
【００４９】
この実施形態では第２の減圧源である圧力源１４６は、複数のベローズ２１８に流体的に結合されている。圧力源１４６は、減圧下で、複数のベローズ２１８が、図１０Ａに示す第１の自由な状態から、図１０Ｂに示す第２のつぶれた状態となるように動作可能である。つぶれた状態は、部分的なつぶれを含む。第１の状態から第２の状態への複数のベローズ２１８の動きにおいて、空気移動マニホールド１２４内の少なくとも一部の空気が、少なくとも１つの排気ポート１３８から外へ押し出される。第１の状態から第２の状態への動きは、パルス流れを生じるように変調され得る。他の実施形態と同様に、図４に関連して説明したように能動的な制御が組み込まれ得る。この例示的実施形態は、２つの流れ回路に別個のポンプを備えて示されているが、ベローズを起動するために、図７に示すものと同様の単一のポンプおよび弁構成を用いても同じ結果が達成され得ることを理解されたい。
【００５０】
本明細書の全ての実施形態は、創傷の治療に関して示しており、蒸発サブシステム１０８を他の適用に使用してもよいことを理解されたい。例えば、蒸発サブシステムは、内部の液体を処理するインライン式パウチに適用してもよい。
【００５１】
本明細書の創傷治療システム１００は、いくつもの利点および利益が認識される蒸発サブシステム１０８を含む。システム１００は、システム１００から液体を蒸発させて除去し、それにより、システム１００によって処理され得る量を増大させる、またはシステムが動作し得る持続時間を増やす。一部の実施形態では、そうでなければ廃棄されるポンプからの排気を使用する。高価な部品は、ドレッシングから離れているため、より容易にアクセス可能とし得る。さらに、ドレッシングに高価な構成要素がなければ、容易に廃棄できる。これらは、考えられる利益のうちのいくつかにすぎない。
【００５２】
本発明およびその利点を、いくつかの例示的非限定的な実施形態に関連して説明したが、添付の特許請求の範囲で定義した本発明の範囲から逸脱せずに、様々な変更、代替、置換、および修正をなし得ることを理解されたい。いずれか一つの実施形態に関連して説明された任意の特徴はまた、任意の他の実施形態にも適用可能であり得ることを理解されたい。
【００５３】
上述の利益および利点は、一実施形態に関連し得ること、またはいくつかの実施形態に関連し得ることを理解されたい。「１つの（ａｎ）」品目への言及は、１つ以上のそれら品目を指すことをさらに理解されたい。
【００５４】
本明細書で説明した方法のステップは、任意の好適な順序で、または適切な場合には同時に実施し得る。
【００５５】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【００５６】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
2014514089.tif 000003
【図２】
2014514089.tif 000004
【図３】
2014514089.tif 000005
【図４】
2014514089.tif 000006
【図５】
2014514089.tif 000007
【図６】
2014514089.tif 000008
【図７】
2014514089.tif 000009
【図８】
2014514089.tif 000010
【図９】
2014514089.tif 000011
【図１０Ａ】
2014514089.tif 000012
【図１０Ｂ】
2014514089.tif 000013
【国際調査報告】
2014514089.tif 000014
2014514089.tif 000015
2014514089.tif 000016
2014514089.tif 000017
2014514089.tif 000018